(57)【要約】【課題】磁気記録再生装置において、テンションバンドの上下位置変動によって生ずるテープテンションの変動を防止する。【解決手段】テンションバンド１０９が巻回される供給側リール台１０４の外周部１０４ａを、テーパ形状もしくはつづみ形状にすることにより、テンションバンド自身の張力によってリール台の外周部に巻回されたテンションバンドの上下位置を安定化し、テンションバンドの上下位置が変動することを防止し、テンションバンドが上下することによるテンションバンド自身のテンションの変動を防ぎ、テープテンション制御を安定して行うことができ、テープ走行の安定化を実現する。【選択図】図１
2008152856.tif 000002
【特許請求の範囲】
【請求項１】
基盤に装着されたカセットからテープを引き出し、信号の入出力を行う磁気記録再生装置であって、
前記基盤に回動自在に軸支され、カセット内のリールが係合されるリール台と、
前記基盤に回動自在に軸支されたテンションアームと、
テープが巻回され、前記テンションアームに植立されたテンションポストと、
前記リール台に設けられた外周部と、
一端が前記テンションアームに回動自在に設けられ、他端が前記基盤または前記テンションアームに回動自在に設けられ、中央部が前記リール台の外周部に巻回されるテンションバンドと、
前記テンションポストによってテープが張る方向に前記テンションアームを付勢するバネを設けたテープテンション制御機構において、
前記リール台の外周部が、テーパ形状であることを特徴とする磁気記録再生装置。
【請求項２】
基盤に装着されたカセットからテープを引き出し、信号の入出力を行う磁気記録再生装置であって、
前記基盤に回動自在に軸支され、カセット内のリールが係合されるリール台と、
前記基盤に回動自在に軸支されたテンションアームと、
テープが巻回され、前記テンションアームに植立されたテンションポストと、
前記リール台に設けられた外周部と、
一端が前記テンションアームに回動自在に設けられ、他端が前記基盤または前記テンションアームに回動自在に設けられ、中央部が前記リール台の外周部に巻回されるテンションバンドと、
前記テンションポストによってテープが張る方向に前記テンションアームを付勢するバネを設けたテープテンション制御機構において、
前記リール台の外周部が、つづみ形状であることを特徴とする磁気記録再生装置。
【発明の詳細な説明】
【技術分野】
【０００１】
本発明は、回転磁気ヘッドが取付けられたシリンダに磁気テープ巻き付けて走行させて、磁気ヘッドとテープの摺接をはかり、信号の記録再生を行うビデオテープレコーダーのような磁気記録再生装置に関するものである。
【背景技術】
【０００２】
近年、カセット式ビデオテープレコーダーのような磁気記録再生装置は小型・高密度記録化が進んでいる。
【０００３】
以下に従来の磁気記録再生装置について説明する。
【０００４】
図２は従来の磁気記録再生装置の供給側リール台部の平面図であり、図３はその供給側リール台部の断面図である。図４（ａ）、４（ｂ）、４（ｃ）は、供給側リール台外形部拡大図である。図２、３、４（ａ）、４（ｂ）、４（ｃ）において、１０１は基盤、１０２はカセット、１０３はテープ、１０４は供給側リール台で、基盤１０１に設けられたリール軸１０５に回転自在に取り付けられている。１０６はテンションアームで、基盤１０１に設けられた支軸１０７に対して回動自在に設けられている。１０８はテンションアーム１０６に設けられたテンションポストで、テープ１０３が巻回されている。１０９はテンションバンドで、その一端部１０９ａがテンションアーム１０６に回動自在に保持され、中央部１０９ｂは供給側リール台１０４の外周部１０４ａに巻回され、その他端部１０９ｃは基盤１０１にバンドベース１１０を介して軸１１１にて回動自在に保持されている。供給側リール台１０４の外周部１０４ａは円筒形状をしている。１１２はバネで、基盤１０１上に設けられ、テンションアーム１０６を半時計方向に付勢している。１０４ｂは供給側リール台１０４の下半部である。供給側リール台１０４の上半部１０４ｃとはマグネット１０４ｄにて一体化し、かつ回転クラッチトルクが発生するように構成されている。１０４ｇは、供給側リール台の下半部１０４ｂの外周に設けられたギア部で、テープ巻取り時には、ギア部１０４ｇにアイドラギア（図示せず）が係合し、テープを供給側リール台１０４が巻き取る。
【０００５】
このように構成された従来の磁気記録再生装置において、テープ１０３のテンションが大きくなるとテンションポスト１０８に巻回されたテープ１０３のテンションによって、テンションバンド１０９の張力が減少し、テンションバンド１０９と供給側リール台１０４の外周部１０４ａとの摩擦による供給側リール台１０４の回転負荷が減少し、その結果テープ１０３のテンションが低くなる。このようにしてテープ１０３のテンションの安定化が実現されている。
【特許文献１】特開平１１−３９７４７号公報
【発明の開示】
【発明が解決しようとする課題】
【０００６】
しかしながら上記の従来の構成では、供給側リール台１０４の外周部１０４ａが円筒形状をしているため、テンションバンド１０９に生じる微妙なテンションの変動により、供給側リール台１０４の外周部１０４ａに巻回されたテンションバンド１０９の上下方向の位置が安定せず、図４（ａ）、４（ｂ）、４（ｃ）に示すようにテンションバンド１０９の中央部１０９ｂの上下位置が変動し、テープテンションが不安定になるという問題を有していた。
【０００７】
本発明は上記従来の問題点を解決するもので、供給側リール台の外周部をテーパ形状もしくはつづみ形状にすることによって、テンションバンドの上下位置が変動することを防止し、テープテンションの安定化を実現する磁気記録再生装置を提供することを目的とする。
【課題を解決するための手段】
【０００８】
この目的を達成するために本発明の磁気記録再生装置は、基盤に装着されたカセットからテープを引き出し、信号の入出力を行う磁気記録再生装置であって、前記基盤に回動自在に軸支され、カセット内のリールが係合されるリール台と、前記基盤に回動自在に軸支されたテンションアームと、テープが巻回され、前記テンションアームに植立されたテンションポストと、前記リール台に設けられた外周部と、一端が前記テンションアームに回動自在に設けられ、他端が前記基盤または前記テンションアームに回動自在に設けられ、中央部が前記リール台の外周部に巻回されるテンションバンドと、前記テンションポストによってテープが張る方向に前記テンションアームを付勢するバネを設けたテープテンション制御機構において、前記リール台の外周部が、テーパ形状であることを特徴とする。
【発明の効果】
【０００９】
この構成によって、テンションバンド自身の張力によってリール台の外周部に巻回されたテンションバンドの上下位置を安定化し、テンションバンドの上下位置が変動することを防止し、テンションバンドが上下することによるテンションバンド自身のテンションの変動を防ぎ、テープテンション制御を安定して行うことができ、テープ走行の安定化を実現する優れた磁気記録再生装置を実現できる。
【発明を実施するための最良の形態】
【００１０】
本発明の請求項１に記載の発明は、基盤に装着されたカセットからテープを引き出し、信号の入出力を行う磁気記録再生装置であって、前記基盤に回動自在に軸支され、カセット内のリールが係合されるリール台と、前記基盤に回動自在に軸支されたテンションアームと、テープが巻回され、前記テンションアームに植立されたテンションポストと、前記リール台に設けられた外周部と、一端が前記テンションアームに回動自在に設けられ、他端が前記基盤または前記テンションアームに回動自在に設けられ、中央部が前記リール台の外周部に巻回されるテンションバンドと、前記テンションポストによってテープが張る方向に前記テンションアームを付勢するバネを設けたテープテンション制御機構において、前記リール台の外周部が、テーパ形状であることを特徴とすることによって、リール台の外周部に巻回されたテンションバンドの位置を、テンションバンド自身の張力によって、常にテーパ形状における外形の少ない方向へテンションバンドを保持する。これにより、テンションバンドの上下位置が変動することを防止し、テープテンションの安定化を実現する作用を有する。
【００１１】
請求項２に記載の発明は、基盤に装着されたカセットからテープを引き出し、信号の入出力を行う磁気記録再生装置であって、前記基盤に回動自在に軸支され、カセット内のリールが係合されるリール台と、前記基盤に回動自在に軸支されたテンションアームと、テープが巻回され、前記テンションアームに植立されたテンションポストと、前記リール台に設けられた外周部と、一端が前記テンションアームに回動自在に設けられ、他端が前記基盤または前記テンションアームに回動自在に設けられ、中央部が前記リール台の外周部に巻回されるテンションバンドと、前記テンションポストによってテープが張る方向に前記テンションアームを付勢するバネを設けたテープテンション制御機構において、前記リール台の外周部が、つづみ形状であることを特徴とすることによって、リール台の外周部に巻回されたテンションバンドの位置を、テンションバンド自身の張力によって、常につづみ形状の上下方向中央部にテンションバンドを保持する。これにより、テンションバンドの上下位置が変動することを防止し、テープテンションの安定化を実現する作用を有する。
【００１２】
本発明の第１の実施例について、図１（ａ）を用いて以下に説明する。
【００１３】
（実施の形態１）
図１（ａ）は、本発明の磁気記録再生装置の供給側リール台外周部の拡大断面図である。図１（ａ）における供給側リール台外周部以外の構成及び動作は、従来の磁気記録再生装置における図２、３に示される構成と全く同じなので省略する。また、図面内番号と名称も、従来の磁気記録再生装置における図２、３と同様のものを使用する。
【００１４】
図１（ａ）において、供給側リール台１０４の外周部１０４ａはテーパ形状をしている。従って、供給側リール台１０４の外周部１０４ａに巻回されたテンションバンド１０９の中央部１０９ｂは、テンションバンド１０９に生ずる内部テンションによって、常にテーパ形状における外形の少ない方向（図４（ａ）では上方向）へ位置するようにテンションバンド１０９に力が発生し、供給側リール台１０４の外周部１０４ａの同一位置（本例では上端位置）にテンションバンド１０９は保持される。
【００１５】
本発明の第２の実施例について、図１（ｂ）を用いて以下に説明する。
【００１６】
（実施の形態２）
図１（ｂ）は、本発明の磁気記録再生装置の供給側リール台外周部の拡大断面図である。図１（ｂ）における供給側リール台外周部以外の構成及び動作は、従来の磁気記録再生装置における図２、３に示される構成と全く同じなので省略する。また、図面内番号と名称も、従来の磁気記録再生装置における図２、３と同様のものを使用する。
【００１７】
図１（ｂ）において、供給側リール台１０４の外周部１０４ａはつづみ形状をしている。従って、供給側リール台１０４の外周部１０４ａに巻回されたテンションバンド１０９の中央部１０９ｂは、テンションバンド１０９に生ずる内部テンションによって、常につづみ形状の上下方向中央部に位置するようにテンションバンド１０９に力が発生し、テンションバンド１０９は供給側リール台１０４の外周部１０４ａの上下方向中央部に位置するように保持される。
【００１８】
なお、実施の形態１において、テーパ形状は上方向が外形の少ない方向としたが、下方向が外形の少ない方向であってもよい。
【００１９】
また、実施の形態１、２において、テンションバンドの一端部がテンションアームに回動自在に保持され、中央部は供給側リール台の外周部に巻回され、その他端部は基盤にバンドベースを介して軸にて回動自在に保持されているとしたが、テンションバンドの他端部がテンションアームに回動自在に保持されている構成であってもよい。
【産業上の利用可能性】
【００２０】
本発明にかかる磁気記録再生装置は、テンションバンドが巻回されるリール台の外周部をテーパ形状もしくはつづみ形状にすることにより、テンションバンド自身の張力によってリール台の外周部に巻回されたテンションバンドの上下位置を安定化し、テンションバンドの上下位置が変動することを防止し、テンションバンドが上下することによるテンションバンド自身のテンションの変動を防ぎ、テープテンション制御を安定して行うことができ、テープ走行の安定化を実現する優れた磁気記録再生装置を実現できるものであり、磁気テープに対応したカムコーダや、据置型のビデオテープレコーダー等において有用である。
【図面の簡単な説明】
【００２１】
【図１】本発明の実施の形態１、２における磁気記録再生装置の供給側リール台外周部の拡大断面図
【図２】従来の磁気記録再生装置の供給側リール台部の平面図
【図３】従来の磁気記録再生装置の供給側リール台部の断面図
【図４】従来の磁気記録再生装置の供給側リール台部外形部の拡大図
【符号の説明】
【００２２】
１０１    基盤
１０２    カセット
１０３    テープ
１０４    供給側リール台
１０６    テンションアーム
１０８    テンションポスト
１０９    テンションバンド
１０４ａ    供給側リール台の外周部
【図１】
2008152856.tif 000003
【図２】
2008152856.tif 000004
【図３】
2008152856.tif 000005
【図４】
2008152856.tif 000006